(57)【特許請求の範囲】
【請求項１】
上面壁、側面壁、後面壁および着脱自在な前面壁で形成された暖房器本体ケース内に燃焼部、電動送風機、燃料タンクおよび制御回路用プリント配線基板を取り付けたものにおいて、前記本体ケース（１）の内部を前記燃焼部（９）と前記電動送風機（１４）とが設けられる側と、前記燃料タンクと前記プリント配線基板（７）が設けられる側に隔壁（１１）で仕切り、前記側面壁（３）および後面壁（４）とともに燃料タンクの出し入れ自在な収納部を形成するタンクガイド板（６）を設け、このタンクガイド板（６）の前面に前記プリント配線基板（７）を前記前面壁（１６）との間に風路空間（１７）が形成されるよう取り付け、前記隔壁には前記風路空間を上昇して通過する空気流を発生させるために前記電動送風機からの空気流の一部を導き入れて前記プリント配線基板の下部へ供給する開口（１２）を開設し、前記燃焼部（９）の上部の後面壁に、前記風路空間を通過した空気流を流出させる開口（１５）を設けたことを特徴とする燃焼暖房器。
【発明の詳細な説明】
【０００１】
【産業上の利用分野】
本発明は、燃焼排気を室内に放出して暖房を行なう燃焼暖房器（ファンヒーター）に関するものである。
【０００２】
【従来の技術】
燃焼排気を室内に放出する燃焼暖房器には、制御回路の組み込まれたプリント配線基板が、縦長（垂直）に取り付けられているものがある。その制御回路用プリント配線基板には、電圧降下用セメント抵抗等の比較的発熱量の多い部品を組み付けなければならない場合があったが、従来はその種の部品がプリント配線基板の中央や下部に組み付けられていた。
【０００３】
【発明が解決しようとする課題】
上述のように、縦長に取り付けられたプリント配線基板の中央や下部に比較的発熱量の多い部品が取り付けられていると、その上方に取り付けられている他の部品類が、その発熱部品によって加熱されかつ上昇する高温の気流にさらされて無用の温度上昇を強いられるため、耐熱性の優れた高価な部品を使用しなければならなかった。
【０００４】
【課題を解決するための手段】
本発明は上述の課題を解決するために、上面壁、側面壁、後面壁および着脱自在な前面壁で形成された暖房器本体ケース内に燃焼部、電動送風機、燃料タンクおよび制御回路用プリント配線基板を取り付けたものにおいて、前記本体ケースの内部を前記燃焼部と前記電動送風機とが設けられる側と、前記燃料タンクと前記プリント配線基板が設けられる側に隔壁で仕切り、前記側面壁および後面壁とともに燃料タンクの出し入れ自在な収納部を形成するタンクガイド板を設け、このタンクガイド板の前面に前記プリント配線基板を前記前面壁との間に風路空間が形成されるよう取り付け、前記隔壁には前記風路空間を上昇して通過する空気流を発生させるために前記電動送風機からの空気流の一部を導き入れて前記プリント配線基板の下部へ供給する開口を開設し、前記燃焼部の上部の後面壁に、前記風路空間を通過した空気流を流出させる開口を設けて燃焼暖房器を構成した。
【０００５】
【作用】
暖房運転が行われている間中、電動送風機で発生した空気流は、その大半が燃焼用空気および燃焼後の高温ガスを本体ケース前面のルーバーから吐き出すために供され、比較的少量の空気流は隔壁の開口部から本体ケースのプリント配線基板の設けられた側へ流れ込み、前面壁とプリント配線基板との間に形成された風路空間を、プリント配線基板に取り付けられている各種部品を冷却しながら下部から上部へ上昇し、燃焼部の上部を経て後面壁の開口に至って本体ケース外へ流出する。このように、電動送風機によって供給される空気流によってプリント配線基板に取り付けられている制御回路の各種部品の冷却が促進されるので、制御の信頼性が高まり、廉価な部品類の利用が可能になる。
【０００６】
【実施例】
以下本発明の一実施例を図面を用いて説明する。図１および図２において、１は石油ファンヒーターの本体ケースで、２はその上面壁、３は同側面壁、４は同後面壁である。図１は本体ケース１の前面壁が取り外され、かつ上面壁２の一部を切り欠くことにより後面壁４の一部が見えるようにしたものである。５は本体ケースの上面壁２に設けられて燃料タンクの出し入れ口を塞ぐ蓋であり、６は側面壁３および後面壁４とともに燃料タンクの出し入れ自在な収納部を形成するタンクガイド板である。７はタンクガイド板６の前面上部に沿って縦長（垂直）に取り付けられた制御回路用プリント配線基板であり、８はこのプリント配線基板７の最上部に取り付けられたセメント抵抗器で、電磁ソレノイドの駆動電圧を降下させるためのものである。このセメント抵抗器８は、プリント配線基板７上に取り付けられたマイクロコンピュータ、リレー、変圧器等の他の各種部品の中で最も発熱量が多く、したがって最も高温になるものである。
【０００７】
９は詳細図示していないが、燃料気化器から供給される気化燃料ガスを燃焼させる燃焼部で、１０はこの燃焼部９で発生した温風が吐き出される温風吐き出しダクトである。１１は本体ケース１の内部を左右に分割する隔壁で、１２はこの隔壁１１に開設された開口、１３はこの開口１２の燃焼部９側に突き出して設けられて燃焼部９側の空気をプリント配線基板７側へ導き入れるための導風板である。
【０００８】
１４は本体ケース１内の燃焼部側に設けられた電動送風機で、燃焼部９に燃焼用の空気を送るほか、燃焼部９で発生した燃焼ガスを本体ケース１の前面から勢いよく吐き出させ、また導風板１３の設けられた隔壁１１の開口１２を通して比較的少量の空気をプリント配線基板７の設けられた側へ送り込むものである。そして１５は後面壁４に開設された開口であり、１６は本体ケース１の前面を設けられた着脱自在な前面壁、１７はこの前面壁１６とプリント配線基板７とによって形成された風路空間である。なお、詳細図示しないが、前面壁１６の、温風吐き出しダクト１０に対応する個所には、ルーバーが設けられている。
【０００９】
各図において、電動送風機１４で発生して燃焼に供され、あるいは温風吐き出しダクト１０からの燃焼高温ガスの吐き出しに供される空気の流れをＡの矢印で示し、隔壁１１の開口１２からプリント配線基板７の側へ流入してプリント配線基板７の下部から上部へ向かって流れたあと後面壁４の開口１５から本体ケース１外へ流出する空気の流れをＢの矢印で示した。
【００１０】
本発明の一実施例の構成は以上の通りであり、暖房運転が行われている間中、電動送風機１４で発生した空気流は、その大半が燃焼用空気および燃焼後の高温ガスを本体ケース１前面のルーバーから吐き出すために供され、Ａの矢印のように流れる。そして比較的少量の空気流は矢印Ｂのように、隔壁１１の開口１２から本体ケース１のプリント配線基板７の設けられた側へ流れ込み、前面壁１６とプリント配線基板７との間に形成された風路空間１７を、プリント配線基板７に取り付けられている各種部品を冷却しながら下部から上部へ上昇し、燃焼部９の上部を経て後面壁４の開口１５に至って本体ケース１外へ流出する。
【００１１】
それにより、セメント抵抗器８によって加熱されて上昇する高温空気にさらされる制御回路部品が単にないばかりでなく、電動送風機１４によって供給される空気流によって制御回路の冷却が促進されるので、制御の信頼性が高まり、廉価な部品類の利用が可能になるという副次的な効果も生じる。
【００１２】
【発明の効果】
以上本発明によれば、隔壁の開口を通して電動送風機で発生した空気流のうち比較的少量の空気をプリント配線基板の設けられた風路空間に送りこみ、プリント配線基板の下から上に向かって空気流が生じるようにして燃焼部の上部を経て後面壁の開口から本体ケース外に流出させているので、プリント配線基板に取り付けられている制御回路の各種部品の冷却が促進されるので、制御の信頼性が高まり、廉価な部品類の利用が可能になる。
また、プリント配線基板の下部から上部へ向けて流れる空気流の通路を本体ケースの前面壁を利用して形成したので、極めて廉価に目的を達成することができた。
【図面の簡単な説明】
【図１】本発明の一実施例の一部切り欠き斜視図である。
【図２】図１の平断面図である。
【符号の説明】
１  本体ケース
７  プリント配線基板
８  セメント抵抗器
９  燃焼部
１１  隔壁
１２  開口
１４  電動送風機
１６  前面壁
１７  風路空間
【図１】
0003571449.tif 000002
【図２】
0003571449.tif 000003